(57)【要約】      （修正有）【課題】カテーテルや点滴などの施術にあたり、動物の動きに追従させてチューブを保持できるペット用カテーテル保持服を提供する。【解決手段】ペット用カテーテル保持服Ｗは、可撓性を有するチューブ状のカテーテル８と、ペットＡの胴体部分の一部又は全部を包み前後に開口を有する筒状の身頃部１と、身頃部１内部と連通しペットＡの脚部に相当する部分において身頃部１と接続される挿通部２、３と、カテーテル８の先端８ａを開口１ａ、４、若しくは挿通部２、３に臨ませて、カテーテル８を身頃部１に係止する係止部５ａ〜５ｃとを備える。【選択図】図３
0003223030.tif 000002
【実用新案登録請求の範囲】
【請求項１】
可撓性を有するチューブ状のカテーテルと、
動物の胴体部分の一部又は全部を包み、前後に開口を有する筒状の身頃部と、
前記身頃部内部と連通し、前記動物の脚部に相当する部分において前記身頃部と接続される挿通部と、
前記カテーテルの先端を前記開口又は前記挿通部に臨ませて、前記カテーテルを前記身頃部に係止する係止部と
を備えることを特徴とするペット用カテーテル保持服。
【請求項２】
前記身頃部の下腹部側において、前記筒状の内部中空に連通する腹部側開口と、
前記腹部側開口を開閉可能に覆う下腹部側蓋体と
をさらに備えることを特徴とする請求項１に記載のペット用カテーテル保持服。
【請求項３】
吸水性のシート部材と、
前記シート部材を収納する収納部と
をさらに備え、
前記収納部は、前記カテーテルの後端を、前記収納部に収納されたシート部材に臨ませた状態で保持しつつ、前記収納部を閉止する閉止部を有する
ことを特徴とする請求項１又は２に記載のペット用カテーテル保持服。
【請求項４】
前記収納部は前記身頃部の背部側に配置され、
前記係止部の少なくとも一つは前記身頃部前後の開口と前記収納部の前記閉止部との間に配置されている
ことを特徴とする請求項３に記載のペット用カテーテル保持服。
【請求項５】
前記収納部は前記シート部材を部分的に収納し、
前記閉止部は、前記シート部材が前記収納部に収納された状態において、前記シート部材の前記収納部から露出した部分を覆うようにして前記収納部を閉止し、
前記閉止部及び前記身頃部表面にはこれらを離着可能に接合する接合部が設けられ、
前記接合部は前記カテーテルの後端が挿通可能な非接着部分を有する
ことを特徴とする請求項３又は４に記載のペット用カテーテル保持服。
【考案の詳細な説明】
【技術分野】
【０００１】
本考案は、犬や猫、フェレットなどの四足動物のペットに着用させ、治療用のカテーテルを保持させるペット用カテーテル保持服に関する。
【背景技術】
【０００２】
従来、犬や猫等のペットにおいても様々な循環器疾患についての診療が行われている。循環器診療では動脈管開存症や肺動脈狭窄症などの先天性心臓病の診断・治療も行われており、外科手術だけでなく、カテーテルを用いた心臓病治療も行われている。例えば、高齢犬では、心臓の中にある逆流を防止する弁が変性してしまう”僧房弁閉鎖不全症”という心臓病が知られており、血管から心臓にバルーンカテーテルを挿入し、狭くなっている肺動脈の弁を拡張したり、動脈管開存症では、肺動脈弁狭窄症などの犬・猫の生まれつきの心臓病とともにカテーテルを用いた身体に負担の少ない治療であるインターベンション治療も可能となってきている。
【０００３】
このインターベンション治療とは、心臓、血管などの病気に対してカテーテルを用いて行う治療であり（例えば、特許文献１参照）、動脈管開存症などに対し、カテーテルを皮膚に開けた小さな穴から血管に挿入して、その操作により病変にアプローチして、動脈管塞栓術、肺動脈弁狭窄症に対するバルーン弁口拡大術、洞不全症候群・房室ブロックなどを含む徐脈性不整脈に対するペースメーカー植え込み術などが実施可能となっている。
【先行技術文献】
【特許文献】
【０００４】
【特許文献１】特表２０１２−５３１２２４号公報
【考案の概要】
【考案が解決しようとする課題】
【０００５】
しかしながら、施術や治療が長時間継続する場合には、カテーテルが血管に挿入された状態を長時間維持しなければならず、また、点滴などを行う場合には、チューブを長時間接続していなければならないため、動物の動きに追従させて保持する必要がある。
【０００６】
そこで、本考案は、上記のような問題を解決するものであり、カテーテルや点滴などの施術にあたり、動物の動きに追従させてチューブを保持できるペット用カテーテル保持服を提供することを目的とする。
【課題を解決するための手段】
【０００７】
上記課題を解決するために本考案のペット用カテーテル保持服は、上記課題を解決するために、可撓性を有するチューブ状のカテーテルと、動物の胴体部分の一部又は全部を包み、前後に開口を有する筒状の身頃部と、身頃部内部と連通し、動物の脚部に相当する部分において身頃部と接続される挿通部と、カテーテルの先端を開口又は挿通部に臨ませて、カテーテルを身頃部に係止する係止部とを備える。
【０００８】
上記考案において、身頃部の下腹部側に、筒状の内部中空に連通する腹部側開口と、腹部側開口を開閉可能に覆う下腹部側蓋体とをさらに備えることが好ましい。また、上記考案において、吸水性のシート部材と、シート部材を収納する収納部とをさらに備え、収納部は、カテーテルの後端を、収納部に収納されたシート部材に臨ませた状態で保持しつつ、収納部を閉止する閉止部を有することが好ましい。さらに、上記考案において、前記収納部は身頃部の背部側に配置され、係止部の少なくとも一つは身頃部前後の開口と収納部の閉止部との間に配置されていることが好ましい。
【０００９】
また、上記考案において、収納部はシート部材を部分的に収納し、閉止部は、シート部材が収納部に収納された状態において、シート部材の収納部から露出した部分を覆うようにして収納部を閉止し、閉止部及び身頃部表面にはこれらを離着可能に接合する接合部が設けられ、接合部はカテーテルの後端が挿通可能な非接着部分を有することが好ましい。
【考案の効果】
【００１０】
以上述べたように、この考案のペット用カテーテル保持服によれば、犬や猫、フェレットなどの四足動物のペットに対するカテーテルや点滴などの施術にあたり、動物の動きに追従させてチューブを保持できる。
【図面の簡単な説明】
【００１１】
【図１】実施形態に係るペット用カテーテル保持服を示す上面図である。
【図２】実施形態に係るペット用カテーテル保持服を示す底面図である。
【図３】実施形態に係るペット用カテーテル保持服の装着状態（カテーテル先端を前脚側の患部に固定し、カテーテル後端側の点滴袋８０を手持ちとした場合）を示す説明図である。
【図４】実施形態に係るペット用カテーテル保持服の装着状態（カテーテル先端を後脚側の患部に固定し、カテーテル後端側の点滴袋８０を手持ちとした場合）を示す説明図である。
【図５】実施形態に係るペット用カテーテル保持服の装着状態（カテーテル先端を後方開口側の患部に固定し、カテーテル後端を収納部７内の吸水シートに接続した場合）を示す説明図である。
【図６】実施形態に係るペット用カテーテル保持服の背面側収納部を上方から示す説明図である。
【考案を実施するための形態】
【００１２】
（ペット用カテーテル保持服の構成）
以下に添付図面を参照して、本考案に係るペット用カテーテル保持服の実施形態を詳細に説明する。図１及び図２は本実施形態に係るペット用カテーテル保持服を示す上面図及び底面図である。また、図６は背面側収納部を示す説明図であり、図３〜図５は本実施形態に係るペット用カテーテル保持服Ｗの装着状態を示す説明図である。
【００１３】
図３〜図５に示すように、ペット用カテーテル保持服Ｗは、犬や猫、フェレットなど四足動物のペットＡに着用させる服であり、ペットＡに装着される身頃部１と、ペットＡの背中側中央に位置され収納部７と、ペットＡの下腹部側に位置される下腹部側蓋体６ａと、カテーテル８と、このカテーテル８を係止する係止部５とから形成される。
【００１４】
カテーテル８は、動物の体内に挿入して、検査や治療などを行うための加藤手製のある細い管であり、素材としてはナイロン、シリコン、テフロン（登録商標）などの高分子化合物が中心で、太さ１〜１０ｍｍ程度、長さ数ｃｍから２ｍ近くなど用途、目的によって種々の形状のものがある。
【００１５】
身頃部１は、ペットＡの胴体部分の一部又は全部を包み、前後に開口１ａ及び４を有する筒状の動物用の衣類本体であり、例えば合成繊維や布、ビニール等の合成樹脂、合成皮革、本革などで形成することができる。また、本実施形態において身頃部１は、複数の布を重ね合わせた多層形状となっており、ペットＡと接触する裏面はメッシュ素材から構成されて当接部分の通気性を向上させてムレを防止している。なお、身頃部１の形状は、ペットＡの胴体に巻き回し、所定の面積をもって胴体を覆うことができれば、図示した矩形状のみならず、ペットの肢体に合わせて種々の曲線によってデザインすることができる。
【００１６】
この身頃部１において、前方の開口１ａからペットＡの首９１を通し、後方の開口４からペットＡの尻や尾を露出させるようになっており、例えばシャツのように首から被せて着用させてもよいし、腹側若しくは背側がボタンやチャックなどで開閉可能として着用してもよい。また、この身頃部１の内部と連通させて、動物の脚部に相当する部分に挿通部２及び３が接続されている。挿通部２及び３は、動物の前脚９２や後脚９３を通させる筒状の部位であり、前脚９２に対応する袖２と、後脚９３に対応する裾３とからなる。袖２と裾３の下端には開口２ａ及び３ａが形成されており、この開口２ａ及び３ａから前脚９２と後脚９３をそれぞれ出し手露出させるようになっている。また、身頃部１の下腹部側には、筒状の身頃部１の内部中空に連通する腹部側開口６ｂと、この腹部側開口６ｂを開閉可能に覆う下腹部側蓋体６ａとが設けられている。
【００１７】
身頃部１背部側の収納部７は、ペットＡの背中側中央に位置された収納ポケットであり、本実施形態では、図６に示すように、吸水性のシート部材である吸水シート７０を収納する。この収納部７には、袋状の収納部分の開口部７ｄを閉止する蓋である閉止部７ａを備えている。この閉止部７ａは、カテーテル８の後端８ｂを収納部７内に収納された吸水シート７０に臨ませた状態で保持しつつ、収納部７を閉止する蓋体である。
【００１８】
この係止部５は、カテーテル８の先端を開口１ａや４又は挿通部２及び３の開口２ａ若しくは３ａに臨ませてカテーテル８を身頃部に係止する部材であり、ペットＡの左右両肩若しくは背中上部あたりに配置される肩係止部５ａと、ペットＡの左右の腰あたりに配置される腰係止部５ｂと、ペットＡの背中あたり（収納部７の上面位置）に配置される背中係止部５ｃとが含まれている。本実施形態においてこれら係止部５の腰係止部５ｂは身頃部１後方の開口４と収納部７の閉止部７ａとの間に配置され、腰係止部５ｂは身頃部１前方の開口４と収納部７の閉止部７ａとの間に配置されている。
【００１９】
詳しくは、図６に示すように、収納部７において、吸水シート７０を部分的（図示した例では約半分）に収納し、閉止部７ａは、吸水シート７０が収納部７の袋部分７ｃに収納された状態において、吸水シート７０の袋部分７ｃから露出した部分を覆うようにして収納部７を閉止するようになっている。また、閉止部と、この閉止部７ａに対応する身頃部１表面には、これらを離着可能に接合する接合部として両面ファスナー７ｂが貼設されている。この両面ファスナー７ｂは、閉止部７ａの周縁部分に間隔を開けて複数貼設されており、間隔をあけて両面ファスナー７ｂを配置することによって、カテーテル８の後端８ｂが挿通可能な非接着部分７ｅが形成されている。
【００２０】
（ペット用カテーテル保持服の使用方法）
以上説明したペット用カテーテル保持部の使用法について以下に説明する。なお、以下で説明する手順は一例に過ぎず、各手順は可能な限り変更されてもよい。また、以下で説明する手順について、実施の形態に応じ適宜省略、置換及び追加が可能である。
【００２１】
カテーテル８を用いて点滴を行う場合には、カテーテル８の先端８ａを、袖２の開口２ａから露出された前脚９２の患部９０に挿し、バンド８１で固定したうえで、カテーテル８のチューブ部分を係止部５ａ及び５ｃで、身頃部１に沿って固定させる。そして、カテーテル８の後端８ｂ側の点滴袋８０は手持ちとする。或いは、図４に示すように、カテーテル８の先端８ａを後脚９３側の患部９０に固定し、カテーテル８の後端８ｂ側の点滴袋８０を手持ちにしてもよい。この場合には、カテーテル８の先端８ａを、裾３の開口３ａから露出された後脚９３の患部９０に挿し、バンド８１で固定したうえで、カテーテル８のチューブ部分を係止部５ｂ及び５ｃで身頃部１に沿って固定させる。そして、カテーテル８の後端８ｂ側の点滴袋８０は手持ちとする。
【００２２】
又は、図５に示すように、カテーテル８の先端８ａを身頃部１の後方開口４側の患部に固定し、後端８ｂを収納部７内の吸水シート７０に接続する。この場合には、カテーテル８の先端８ａを、後方開口４から身頃部１内にチューブ部分を差し込んで身頃部１内の患部に挿し、カテーテル８のチューブ部分を腰係止部５ｂで身頃部１に沿って固定させるとともに、収納部７の閉止部７ａで後端８ｂを挟み込んで係止する。このとき、図６に示すように、収納部７の袋部分７ｃに吸水シート７０を、部分的（図示した例では約半分）に収納しておき、吸水シート７０が収納部７の袋部分７ｃに収納された状態において、吸水シート７０の袋部分７ｃから露出した部分を覆うようにして収納部７を閉止させるとともに、閉止部７ａの周縁部分に間隔を開けて複数貼設された面ファスナー７ｂによって、この閉止部７ａの閉止状態を保持する。面ファスナー７ｂの間隔部分は非接着部分７ｅとなっており、カテーテル８の後端８ｂを、吸水シート７０に臨ませて挿通して固定しつつ、閉止部７ａの閉止状態が保持されるようになっている。
【００２３】
（作用・効果）
以上説明した本実施形態に係るペット用カテーテル保持服Ｗによれば、カテーテル８の先端８ａを開口１ａや４又は挿通部２及び３の開口２ａ若しくは３ａに臨ませて、カテーテル８を身頃部１に沿って係止させることができるため、犬や猫、フェレットなどの四足動物のペットに対するカテーテルや点滴などの施術にあたり、動物の動きに追従させてチューブを保持できる。
【符号の説明】
【００２４】
Ａ…ペット
Ｗ…ペット用カテーテル保持服
１…身頃部
１ａ…開口
２…袖
２ａ，３ａ…開口
３…裾
４…後方開口
５…係止部
５ａ…肩係止部
５ｂ…腰係止部
５ｃ…背中係止部
６ａ…下腹部側蓋体
６ｂ…腹部側開口
７…収納部
７ａ…閉止部
７ｂ…面ファスナー
７ｃ…袋部分
７ｄ…開口部
７ｅ…非接着部分
８…カテーテル
８ａ…先端
８ｂ…後端
７０…吸水シート
８０…点滴袋
８１…バンド
９０…患部
９１…首
９２…前脚
９３…後脚
【図１】
0003223030.tif 000003
【図２】
0003223030.tif 000004
【図３】
0003223030.tif 000005
【図４】
0003223030.tif 000006
【図５】
0003223030.tif 000007
【図６】
0003223030.tif 000008